(57)【特許請求の範囲】
【請求項１】
入力された暗証コードと、装置内に登録した暗証コードが一致した場合、当該装置の使用を可能とする情報端末装置において、
表示部上に設けた座標入力部の入力領域をＸ，Ｙ方向に複数に分割し、
前記座標入力部から複数回点入力したそれぞれの位置により得られるＸ，Ｙ座標値を入力した領域に対応する数値に変換すると共に、表示部に文字を表示して前記座標入力部により選択した任意の文字を前記数値毎に割りつけ、この数値と文字を暗証コードとして登録し、
装置使用時に前記座標入力部から順に入力された位置情報と当該位置情報に割りつけられた文字情報による暗証コードと登録した暗証コードを比較することを特徴とする情報端末装置。
【請求項２】
入力された暗証コードと、装置内に登録した暗証コードが一致した場合、当該装置の使用を可能とする情報端末装置において、
表示部上に設けた座標入力部の入力領域をＸ，Ｙ方向に複数に分割し、
前記座標入力部から複数回点入力したそれぞれの位置により得られるＸ，Ｙ座標値を入力した領域に対応する数値に変換すると共に、表示部に文字を表示して前記座標入力部により選択した任意の文字を前記数値毎に割りつけ、この数値と文字を暗証コードとして登録し、
装置使用時に前記座標入力部から交互に入力された位置情報と当該位置情報に割りつけられた文字情報による暗証コードと登録した暗証コードを比較することを特徴とする情報端末装置。
【発明の詳細な説明】
【０００１】
【発明の属する技術分野】
本発明は、オペレータが他人に情報を見られないように秘守性を保持する機能を持たせた情報端末装置に関するものである。
【０００２】
【従来の技術】
図２４は従来の一般的な情報端末装置を示す斜視図で、この情報端末装置１はキーボード２２が実装され、また、座標入力が行うためのマウス等のポインティング手段２３を接続してオペレータが操作するようになっている。
このような情報端末装置２１をオペレータが使用する場合、電源を投入して情報端末装置２１を起動し、必要なアプリケーションソフトを稼働させて、行うべき業務を処理するための操作を行う。
【０００３】
このとき業務に関係のない他人に開示できない情報や、開示したくない情報が多く含まれることがあり、情報の秘守性を保つために、情報端末装置を稼働させる場合、特定の暗証コードの入力を求め、この暗証コードが正確に入力されない場合は、秘守性のある情報を扱うアプリケーションが稼働しなかったり、装置自身が動作可能な状態にならないような方策がとられている。
【０００４】
【発明が解決しようとする課題】
しかしながら、暗証コードの多くは、各オペレータ毎に数字や名前の一部等を予め情報端末装置に登録し、装置使用の際にキーボードで入力することが多いことから、オペレータが暗証コードを入力する際、他のオペレータに見られたり、登録した暗証コードが類推されることで他人に知られてしまい、情報の秘守性が失われるという問題がある。
【０００５】
また、携帯形の情報端末装置として、可搬性や軽量性、及び携帯時の操作性を重視してキーボードを実装せず、情報端末装置の表面上にペン等で位置情報を座標入力することができるタッチパネル等の座標入力装置を装備したものがある。
このような座標入力装置を装備した情報端末装置において、文字や数字からなる暗証コードの入力が必要な場合、情報端末装置に本来は必要のない専用キーボードを同じに持ち歩き、情報端末装置を使用するときキーボードを接続する必要があるというように、携帯形の情報端末装置が持つ可搬性、軽量性及び操作性を損なうという問題がある。
【０００６】
更に、専用キーボードを使用することなく暗証コードの入力を行うため、情報端末装置の表示部上に座標入力部を配置し、電源投入後、表示部に文字キーや数字キーを配列表示させるアプリケーションを稼働させ、この表示面に表示された文字キーや数字キーをペンや指で押下して暗証コードを入力するようにしたものもあるが、この装置でもキーボードを備えたものと同様にペンあるいは指で入力する文字や数字を他人に見られたり、登録した暗証コードが類推されることで他人に知られてしまい、情報の秘守性が失われるという問題がある。
【０００７】
本発明は、このような問題を解決することを課題とするものである。
【０００８】
【課題を解決するための手段】
そのため、本発明は、入力された暗証コードと、装置内に登録した暗証コードが一致した場合、当該装置の使用を可能とする情報端末装置において、表示部上に設けた座標入力部の入力領域をＸ，Ｙ方向に複数に分割し、前記座標入力部から複数回点入力したそれぞれの位置により得られるＸ，Ｙ座標値を入力した領域に対応する数値に変換すると共に、表示部に文字を表示して前記座標入力部により選択した任意の文字を前記数値毎に割りつけ、この数値と文字を暗証コードとして登録し、装置使用時に前記座標入力部から順に入力された位置情報と当該位置情報に割りつけられた文字情報による暗証コードと登録した暗証コードを比較することを特徴とする。
【０００９】
【発明の実施の形態】
以下に図面を参照して本発明による情報端末装置の実施の形態について説明する。
図１は本発明の第１の実施の形態を示すブロック図、図２は同実施の形態の外観を示す斜視図である。
【００１０】
図において１は情報端末装置で、この情報端末装置１は、各種の情報等の表示を行うＬＣＤ等の表示部２、この表示部２上に実装されタッチパネル等による座標入力部３、コントロール基板４、装置全体に電力を供給する電源部５、及びこれら表示部２、座標入力部３、コントロール基板４、電源部５を収納した筐体６を備えており、更に座標入力部３に対して位置入力を行う入力ペン７を別に設けている。
【００１１】
図３はコントロール基板４の構造を示すブロック図である。
コントロール基板４は、情報端末装置１全体の動作の制御を司るもので、図示したようにＣＰＵ部４ａ、このＣＰＵ部４ａを動作させるプログラムを格納したプログラム格納部４ｂ、表示部２の動作を制御する表示制御部４ｃ、座標入力部３の動作を制御する座標入力制御部４ｄ、座標入力部３から入力された座標位置を暗証コード作成の情報に変換する座標情報変換部４ｅ、暗証コード等の情報を格納しておく不揮発性メモリ４ｆ、及び電話やプリンタ等の外部の装置との通信を行うインタフェース部４ｇを有している。
【００１２】
図４〜図８は表示部の表示画面例を示す図で、以下この図４〜図８と共に図１〜図３を参照して上述した構成の作用について説明する。
オペレータが情報端末装置１を使用する際、図示しないスイッチを入れて電源部５を稼働させると、表示部２、座標入力装置３、制御部４、及びコントロール基板４に電源の供給が開始される。
【００１３】
このように電源が投入されると、図３に示すコントロール基板４に実装されているＣＰＵ部４ａが動作して、プログラム格納部４ｂから所定のプログラムを読み込み、そのプログラムに従って以下の処理が行われる。
まず、ＣＰＵ部４ａが不揮発性メモリ４ｆから暗証コードが登録済みであることを示す印（以下暗証コード登録済みフラグ）の読み込みを行い、暗証コード登録済みフラグが無い場合、ＣＰＵ部４ａは表示制御部４ｃに対して暗証コードの登録を求める画面を表示させるよう指示を行い、これにより表示制御部４ｃは図４に示す暗証コードの登録を求める画面を表示部２に表示させる。
【００１４】
オペレータは図４の画面が表示されると、入力ペン７を使い、表示部２上に配置されている座標入力部３の任意の位置、例えば図５に示したＡ点を押して入力を行う。
この座標入力部３は所定の分解能を有しており、この実施の形態ではＸ座標側で０〜１０２４、Ｙ座標側で０〜７６８に設定されているものとする。
【００１５】
オペレータが入力した位置の座標すなわち図５におけるＡ点の座標は、コントロール基板４上の座標入力制御部４ｄによって検出され、このときの座標値Ｘ，Ｙが、Ｘ＝９５０、Ｙ＝７００であるとする。
この座標値は座標情報変換部４ｅへ送られ、座標情報変換部４ｅは以下の計算を行って情報Ｘａ，Ｙａを求める。
【００１６】
Ｘａ÷１００＝９５０÷１００＝９．５  小数点以下を切り捨てて、
Ｘａ＝９  ・・・式（１）
Ｙａ÷１００＝７００÷１００＝７    Ｙａ＝７  ・・・式（２）
但し、式（２）において、小数点以下の端数が発生した場合は、それを切り捨てる。
【００１７】
次に、座標情報変換部４ｅは上記式（１），（２）で求めたＸａ，Ｙａにより２桁の数字からなる情報Ｄａを作成する。
Ｄａ＝Ｘａ，Ｙａ＝９７
こうして作成された情報Ｄａは座標情報変換部４ｅからＣＰＵ部４ａに転送され、ＣＰＵ部４ａにより不揮発性メモリ４ｆに格納される。
【００１８】
ＣＰＵ部４ａは暗証コードの１回目の情報の登録が完了したことを、図５に示すように表示部２に表示された画面の登録表示エリア２ａの左端に所定の記号、例えば「＊」を表示させることによりオペレータに通知し、２回目以降の位置情報の入力を求めるべく図６に示した画面を表示部２に表示させる。
次にオペレータが図６に示したＢ点、Ｃ点、及びＤ点を入力ペン７で順次押下して入力すると、前記のＡ点の場合と同様にその座標値が座標入力制御部４ｄによって検出され、これに基づいて座標情報変換部４ｅによりＢ点、Ｃ点、Ｄ点の各座標値による情報ＸｂとＹｂ、ＸｃとＹｃ、ＸｄとＹｄが前記式（１）及び式（２）で計算されて求められ、更に、その値に基づいて座標情報変換部４ｅにより各々２桁の情報Ｄｂ、Ｄｃ、Ｄｄが作成される。
【００１９】
これらの、情報Ｄｂ、Ｄｃ、ＤｄはＣＰＵ部４ａを介して順次不揮発性メモリ４ｆに格納され、格納毎に表示された画面の登録表示エリア２ａに記号「＊」が表示される。
オペレータはこの「＊」の数で所定の桁数の情報が入力されたことを確認した後、表示画面の右下に表示されている登録終了キーを入力ペン７で押下すると、押下位置の座標値が座標入力制御部４ｄによって検出され、この検出された座標値により座標情報変換部４ｅは登録終了キーが押下されたことを認識してＣＰＵ部４ａにその旨の通知を行う。
【００２０】
これによりＣＰＵ部４ａは不揮発性メモリ４ｆに格納した情報Ｄａ〜Ｄｄを暗証コードとし、その暗証コード登録済みフラグを立てて暗証コードの登録処理を終了させる。
一方、前記の電源投入後、ＣＰＵ部４ａが不揮発性メモリ４ｆから暗証コード登録済みフラグを読み込んだとき、フラグが立っていれば図７に示す暗証コードの入力を求める画面を前述の手順と同様に表示部２に表示させる。
【００２１】
この画面を見てオペレータは自分が暗証コードを登録したときと同じ位置と手順で入力ペン７を使用し、座標入力部３からの入力を行う。
ここでは、暗証コードを登録したときとの位置と手順がＡ，Ｂ，Ｃ，Ｄ点であるものとして説明する。
入力された位置は座標入力制御部４ｄにより座標値「Ｘａ，Ｙａ」、「Ｘｂ，Ｙｂ」、「Ｘｃ，Ｙｃ」、「Ｘｄ，Ｙｄ」として検出されて座標情報変換部４ｅに送られ、座標情報変換部４ｅで前記式（１）及び式（２）により各々の情報Ｄａ、Ｄｂ、Ｄｃ、Ｄｄが求められ、入力された暗証コードとして作成される。
【００２２】
この入力された暗証コードがＣＰＵ部４ａに送られると、ＣＰＵ部４ａは不揮発性メモリ４ｆに登録されている暗証コードを読み出し、入力された暗証コードと比較する。
比較の結果、一致した場合、アプリケーションプログラムをプログラム格納部４ｂから読み出して、そのアプリケーションプログラムを使用できる環境を整える。
【００２３】
ＣＰＵ部４ａは桁数が異なっていたり、入力された順序が異なる等、暗証コードが一致しない場合、図８に示すように暗証コードの再入力を求める画面を表示部２に表示させ、新たに送られてくる暗証コードを待って待機状態に入る。
この場合の暗証コード入力のリトライ回数を予め定めておき、定められた回数だけリトライしても暗証コードが一致しない場合は、処理を終了するようにしておく。
【００２４】
このようにすることによって、位置入力による正しい暗証コードがオペレータによって入力されるまでは、アプリケーションプログラムが稼働することはなくなる。
そのため、点入力した位置に基づく暗証コードを登録したオペレータ以外の者がそのオペレータが使用するアプリケーションプログラムを呼び出そうとしても、暗証コードとして入力する複数の位置と入力順序が分からないため、装置を稼働したり、アプリケーションプログラムを動作させることができず、情報の秘守性を確保できることになる。
【００２５】
ここで、前記座標値の情報Ｘ，Ｙについて更に詳しく説明する。
座標入力部３の分解能をＸ＝１０２４、Ｙ＝７６８とした場合、入力されたＸ座標が０〜９９の範囲では、前述の計算式（１）を用いて計算すると「０」となる。つまりオペレータが０〜９９の範囲で入力した座標位置は同一の情報として変換される。
【００２６】
同様に、Ｘ座標が１００〜１９９の範囲、２００〜２９９の範囲、・・・９００〜９９９の範囲、１０００〜１０２４の範囲では式（１）により各々同一の情報として変換される。
Ｙ座標においても、０〜９９の範囲、１００〜１９９の範囲、・・・９００〜９９９の範囲、１０００〜１０２４の範囲で式（２）により各々同一の情報が得られる。
【００２７】
このことは、Ｘ＝１０２４、Ｙ＝７６８の分解能を持つ座標入力部３の場合、その入力領域をＸ座標側（Ｘ方向）で１１の領域に分割、Ｙ座標側（Ｙ方向）で８の領域に分割していることを示し、入力位置による座標情報を暗証コードに変換する場合、１１×８＝８８の領域から複数の領域を選択することになるので、オペレータは暗証コード登録時におよその入力位置と正しい順序を記憶することで同一の暗証コードの入力を繰り返し行うことが可能となる。
【００２８】
以上説明したように第１の実施の形態では、座標入力部を実装した情報端末装置をオペレータが動作させる際、座標入力装置から入力する位置情報を暗証コードとして利用するため、オペレータ以外のものは文字入力の場合のようにオペレータの名前や、誕生日等の日付から暗証コードを類推できなくなる。
また、文字入力による暗証コードの場合、オペレータの近傍に他人がいると、入力される文字位置から暗証コードが解読されてしまうことがあるが、座標入力される位置情報を暗証コードとして用いるので、オペレータの近傍にいる他人が見た場合でも、一見しただけでは正確な位置は把握しにくいものとなる。
【００２９】
従って、他人がオペレータの暗証コードを流用して情報端末装置に格納されているアプリケーションプログラムを呼び出してその情報を見たり、細工する等の操作ができなくなり、情報の秘守性を確保することができる。
次に、第２の実施の形態について説明する。
図９は第２の実施の形態を示すコントロール基板４のブロック図である。
【００３０】
この実施の形態は、上述した第１の実施の形態の構成に加えて、コントロール基板４に定数情報格納部４ｈを設け、この定数情報格納部４ｈに第１の実施の形態で説明した式（１）及び（２）の中に設定している座標入力部３の領域分割のための複数の定数を選択可能な定数情報として格納したもので、オペレータが暗証コードを登録するとき、ＣＰＵ部４ａが定数情報格納部４ｈに格納されている定数情報を読み出して表示部２に表示させ、オペレータが画面上に選択肢として表示されている複数の定数のうちの希望する定数を入力ペン７で押下することにより、定数を選択して設定を行うことで、暗証コードをより小さな範囲の位置情報、あるいは大きな範囲の位置情報として利用できるようにするものである。
【００３１】
以下に順を追って説明すると、暗証コード登録時にＣＰＵ部４ａが定数情報格納部４ｈに格納されている定数情報を読み出して表示制御部４ｃに送り、これにより表示制御部４ｃは定数選択画面を表示部２に表示させる。
この定数選択画面はここでは図示しないが、例えば、「２０分割」、「５０分割」、「１００分割」、「２００分割」のように定数が並べて表示されており、オペレータが画面上のこれら複数の定数のうちの希望する定数を入力ペン７で押下することにより選択する。
【００３２】
ここでは、「５０分割」が選択されたものとして説明する。
選択された定数は、座標入力制御部４ｄにより座標値として検出され、座標情報変換部４ｅで定数の選択が認識されて、その通知がＣＰＵ部４ａに送られる。
ＣＰＵ部４ａは送られてきた通知からオペレータが定数を選択したことを認識し、不揮発性メモリ４ｆに定数設定済みフラグを立て、定数を５０とする情報を格納する。
【００３３】
次に、ＣＰＵ部４ａは表示制御部４ｃに対して暗証コードの登録を求める画面を表示させるよう指示を行い、これにより表示部２に第１の実施の形態と同様に図４に示す画面が表示させる。
同時にＣＰＵ部４ａは不揮発性メモリ４ｆからオペレータが設定した定数５０の情報を読み出し、座標情報変換部４ｅに転送する。
【００３４】
オペレータは暗証コードの登録を求める画面が表示されると、登録情報用として所定の回数入力ペン７で座標入力部３の任意の位置を押して入力し、入力された位置は座標入力制御部４ｄにより座標情報として検出されて座標情報変換部４ｅに送られる。
座標情報変換部４ｅでは、前記式（１）及び式（２）の定数を変更した計算式を作成し、作成した計算式により各座標情報を順次変換して、それにより求められた情報をＣＰＵ部４ａに送る。
【００３５】
ＣＰＵ部ａは送られてきた情報を暗証コードとして不揮発性メモリ４ｆに格納し、更に格納した暗証コードに対して登録済を示すフラグ等の印をつけ、暗証コードの登録処理を終了させる。
オペレータが情報端末装置１を稼働させる場合は、電源を投入するとＣＰＵ部４ａは表示制御部４ｃを介して暗証コードの入力を求める画面を表示させ、また、不揮発性メモリ４ｆに格納してある定数を読み出して座標情報変換部４ｅに転送する。
【００３６】
オペレータは暗証コードの入力を求める画面が表示されると、登録情報用として所定の回数だけ入力ペン７で座標入力部３の任意の位置を押して点入力し、入力された点位置は座標入力制御部４ｄにより座標値として検出されて座標情報変換部４ｅに送られる。
座標情報変換部４ｅでは、前記式（１）及び式（２）の定数を変更した計算式を作成し、作成した計算式により各座標値を順次変換して、それにより求められた情報をＣＰＵ部４ａに送る。
【００３７】
そして、オペレータが入力終了キーを入力ペン７で押下すると、ＣＰＵ部４ａは座標情報変換部４ｅから送られてきた情報を入力された暗証コードとして不揮発性メモリ４ｆに登録されている暗証コードと比較し、一致していればアプリケーションプログラムをプログラム格納部４ｂから読み出して、そのアプリケーションプログラムを使用できる環境を整えるが、一致しない場合は、図８に示した暗証コードの再入力を求める画面に切り替わって入力待ちの状態となる。
【００３８】
この場合も暗証コード入力のリトライ回数を予め定めておき、定められた回数だけリトライしても暗証コードが一致しない場合は、処理を終了するようにしておく。
以上説明した第２に実施の形態によれば、座標入力部をより細かくあるいはより大きくした範囲で入力できるよう定数を選択可能としたため、オペレータが暗証コードを入力する際に、他人が大勢いる環境では細かい範囲で座標入力するように選択して、他人に入力位置が視認できないようにすることができると共に、他人が近くにいない環境では大きな範囲の中で座標入力できるようにして、暗証コードの入力操作を簡易化することができるという利点がある。
【００３９】
次に、第３の実施の形態について説明する。
この第３の実施の形態は、暗証コード登録時及び入力時のオペレータの操作を容易にするもので、構成そのものは第１の実施の形態と同様であるので、その説明は省略する。
図１０は第３の実施の形態の作用を示すフローチャート、図１１〜図１６は第３の実施の形態の表示画面例を示す図である。
【００４０】
以下、図１、図３及び図１１〜図１６を参照し、図１０にＳで示したステップに従って第３の実施の形態の作用について説明する。
まず、オペレータが図示しないスイッチを入れて電源部５を稼働させ、表示部２、座標入力装置３、制御部４、及びコントロール基板４に電源の供給を開始する（Ｓ１）。
【００４１】
このように電源が投入されると、図３に示したコントロール基板４に実装されているＣＰＵ部４ａが動作してプログラム格納部４ｂから所定のプログラムを読み込み、そのプログラムに従って以下の処理が行われる。
まず、ＣＰＵ部４ａが不揮発性メモリ４ｆから暗証コード登録済みフラグの読み込みを行い、フラグの有無により暗証コードが登録されているか否かを判断し（Ｓ２）、フラグが立っていればＳ９に移行するが、フラグが無く暗証コードの登録が行われていない場合、ＣＰＵ部４ａは表示制御部４ｃに対して、表示制御部４ｃにより表示の内容を制御される表示部２に、暗証コードの登録を求める画面を表示させるよう指示し、これにより図１１に示す画面が表示部２に表示される（Ｓ３）。
【００４２】
この画面には図示したように格子により分割され、各格子内はオペレータが入力ペンで指示する位置の確認がし易いように色分けている。
この状態で入力を待ち（Ｓ４）、オペレータはこの画面を見て入力ペン７を使い、図１１に示したように表示部２上に配置されている座標入力部３の位置Ａの点を押下する。
【００４３】
この実施の形態においても、座標入力部３の分解能を、Ｘ座標側で０〜１０２４、Ｙ座標側で０〜７６８とする。
オペレータが入力した位置Ａの座標は座標入力制御部４ｄによって検出され、このとき座標値Ｘ，Ｙが、Ｘ＝９５０，Ｙ＝７００であるとすると、検出された座標値は座標情報変換部４ｅへ送られ（Ｓ４）、座標情報変換部４ｅで以下の計算を行い、情報Ｘａ，Ｙａを求める。
【００４４】
Ｘａ÷１００＝９５０÷１００＝９．５  小数点以下を切り捨てて、  Ｘａ＝９  ・・・式（１）
Ｙａ÷１００＝７００÷１００＝７    Ｙａ＝７  ・・・式（２）
次に、座標情報変換部４ｅは上記式（１），（２）で求めたＸａ，Ｙａにより２桁の数字からなる情報Ｄａを作成する（Ｓ５）。
【００４５】
Ｄａ＝Ｘａ，Ｙａ＝９７
こうして作成された情報Ｄａは座標情報変換部４ｅからＣＰＵ部４ａに転送され、ＣＰＵ部４ａにより不揮発性メモリ４ｆに格納される（Ｓ６）。
ＣＰＵ部４ａは暗証コードの１回目の情報の登録が完了したことを、図１３に示したように表示部に表示された登録表示エリア２ａの左端に所定の記号例えば「＊」を表示することによりオペレータに通知する（Ｓ７）。
【００４６】
ここで、ＣＰＵ部４ａは登録終了キーが押下されたか否かを判断し（Ｓ８）、登録終了キー押下の通知が来ないことにより、登録終了キーが押下されないと判断した場合は２回目以降の位置の入力を求めるために、図１３に示した画面を表示させ、Ｓ８に戻って入力を待つ。
次にオペレータがＡ点と異なる位置、つまり図１３に示した各々色の異なる格子内に位置するＢ点、Ｃ点、Ｄ点を入力ペン７で順次押下して座標情報を入力すると、前記のＡ点の場合と同様に座標情報変換部４ｅによりＢ点、Ｃ点、Ｄ点の各座標（Ｘｂ，Ｙｂ）、（Ｘｃ，Ｙｃ）、（Ｘｄ，Ｙｄ）が求められる。
【００４７】
更に、座標情報変換部４ｅにより前記式（１），（２）により各々２桁の新情報Ｄｂ、Ｄｃ、Ｄｄが作成され（Ｓ５）、ＣＰＵ部４ａを介して順次不揮発性メモリ４ｆに格納される（Ｓ６）。
また、データが登録されたことを示すため、表示部２の画面上には登録が完了する毎に記号「＊」が１つずつ増加するように表示される。
【００４８】
そして、オペレータが図１４に示すように表示画面に表示されている登録終了キーを入力ペン７で押下すると、座標入力制御部４ｄによりその座標位置が検出され、検出された座標から座標情報変換部４ｅが登録終了キーの押下を認識してＣＰＵ部４ａに登録が終了した旨の通知を行う。
これによりＣＰＵ部４ａは不揮発性メモリ４ｆに暗証コードが登録された印である暗証コード登録済みフラグを立て（Ｓ９）、暗証コード登録の処理を終了する。
【００４９】
オペレータが情報端末装置１を使う場合、表示部２、座標入力装置３、制御部４、及びコントロール基板４に電源を供給して動作させると（Ｓ１）、ＣＰＵ部４ａが不揮発性メモリ４ｆから暗証コード登録済みフラグの読み込みを行い、フラグの有無を判断して（Ｓ２）、フラグが立っていれば図１５に示した暗証コードの入力を求める画面を前述手順と同様に表示部２に表示させる。
【００５０】
この状態で入力を待ち（Ｓ１０）、オペレータがこの画面を見て暗証コードを登録したときと同じ位置と手順でＡ，Ｂ，Ｃ，Ｄ点を、入力ペン７を使用して座標入力部３で入力を行うと、入力された位置はそれぞれ座標入力制御部４ｄにより座標値（Ｘａ，Ｙａ）、（Ｘｂ，Ｙｂ）、（Ｘｃ，Ｙｃ）、（Ｘｄ，Ｙｄ）として検出され、座標情報変換部４ｅに送られて、この座標情報変換部４ｅにより前記の式（１）、（２）により計算が行われて各々情報Ｄａ、Ｄｂ、Ｄｃ、Ｄｄが作成される（Ｓ１１）。
【００５１】
また、Ａ，Ｂ，Ｃ，Ｄ点をオペレータが入力する毎に、登録表示エリア２ａに記号「＊」が表示される（Ｓ１２）。
座標情報変換部４ｅで作成された情報Ｄａ、Ｄｂ、Ｄｃ、Ｄｄは暗証コードとしてＣＰＵ部４ａに送られ、そしてオペレータが登録終了キーを押下すると（Ｓ１３）、ＣＰＵ部４ａは不揮発性メモリ４ｆに登録されている暗証コードを読み出して入力された暗証コードと比較する（Ｓ１４）。
【００５２】
比較の結果、暗証コードが一致した場合、アプリケーションプログラムをプログラム格納部４ｂから読み出して、そのアプリケーションプログラムを使用できる環境を整える。
ＣＰＵ部４ａは桁数が異なっていたり、入力されたデータの順が異なる等、暗証コードが一致しない場合は、図１５に示した再度暗証コードの入力を求める画面を表示させ、Ｓ１０に戻って新たに送られてくる情報を待ち、待機状態に入る（Ｓ１１）。
【００５３】
この場合も暗証コード入力のリトライ回数を予め定めておき、定められた回数だけリトライしても暗証コードが一致しない場合は、処理を終了するようにしておく。そのため、位置入力による正しい暗証コードがオペレータから入力されるまでは、アプリケーションプログラムが稼働することはなく、暗証コードを登録したオペレータ以外の他人が情報端末装置１を使用しようとした場合、暗証コードとして入力した複数の位置と入力順序が分からないため、情報端末装置１を動作させることができず、情報の秘守性を保てることになる。
【００５４】
以上説明したように第３の実施の形態では、暗証コードの登録時に表示部の画面に格子を設けているためにオペレータが入力位置を覚え易くなり、また装置使用時における暗証コードの入力の際にも、容易に入力できるので、オペレータの操作性が向上する。
次に第４の実施の形態について説明する。
この第４の実施の形態の構成は第２の実施の形態と同様であるので、その説明は省略し、以下に作用について説明する。
【００５５】
図１７は第４の実施の形態の作用を示すフローチャート、図１８及び図１９は第４の実施の形態の表示画面例を示す図である。
以下、図９及び図１８、図１９を参照し、図１７にＳで示したステップに従って第４の実施の形態の作用について説明する。
まず、オペレータが図示しないスイッチを入れて電源部５を稼働させ、表示部２、座標入力装置３、制御部４、及びコントロール基板４に電源の供給を開始する（Ｓ１）。
【００５６】
このように電源が投入されると、コントロール基板４に実装されているＣＰＵ部４ａが動作してプログラム格納部４ｂから所定のプログラムを読み込み、そのプログラムに従って以下の処理が行われる。
すなわち、ＣＰＵ部４ａが不揮発性メモリ４ｆから暗証コード登録済みフラグの読み込みを行い、フラグの有無により暗証コードが登録されているか否かを判断し（Ｓ２）、フラグが立っていればＳ１４に移行するが、フラグが無く暗証コードの登録が行われていない場合、ＣＰＵ部４ａは定数情報格納部４ｈから、格納されている選択可能な情報を読み出して表示制御部４ｃに送り、これにより表示制御部４ｃは図１８に示す定数選択画面を表示部２に表示させる（Ｓ３）。  次に、オペレータは表示されている画面上で選択する分割数を入力ペン７で指示して選択する。
【００５７】
この定数選択画面には図示したように例えば、「２０分割」、「５０分割」、「１００分割」、「２００分割」のように定数が並べて表示されており、オペレータが画面上のこれら複数の定数のうちの希望する定数を入力ペン７で押下することにより選択する（Ｓ４）。
ここでは、２番目の「５０分割」が選択されたものとして説明する。
【００５８】
選択された定数は、座標入力制御部４ｄにより座標値として検出され、座標情報変換部４ｅで選択された定数に基づいて、下記（ａ）、 (ｂ) の計算式を作成する。
Ｘ÷５０・・・（ａ）      Ｙ÷５０・・・ (ｂ)
また選択された定数はＣＰＵ部４ａに送られ、ＣＰＵ部４ａは送られてきた通知からオペレータが定数を選択したことを認識して不揮発性メモリ４ｆに定数設定済みフラグを立て（Ｓ５）、更に定数５０の情報を不揮発性メモリ４ｆに格納する（Ｓ６）。
【００５９】
次に、ＣＰＵ部４ａは不揮発性メモリ４ｆに格納した定数を読み出し、表示制御部４ｃに対して暗証コードの登録を求める画面を表示させるよう指示し、これにより表示部２に暗証コードの登録を求める画面が表示される（Ｓ７）。
図１９はこの時の画面を示しており、前記の選択された分割数定数に合わせて格子が色分けされて背後に表示される。
【００６０】
この状態で入力を待つ（Ｓ８）。
オペレータは図１４の画面が表示されると、登録情報用として所定の回数入力ペン７で座標入力部３の任意の位置を押して入力し、入力された位置は座標入力制御部４ｄにより座標値として検出され、座標情報変換部４ｅで前記の定数を変更した計算式により各座標値を順次変換して（Ｓ９）、それにより求められた情報をＣＰＵ部４ａに送る。
【００６１】
ＣＰＵ部４ａは座標情報変換部４ｅから送られてくる情報を順次不揮発性メモリ４ｆに格納し、更にＣＰＵ部４ａは情報の登録毎に表示部２に表示された登録表示エリア２ａの左端に所定に記号例えば「＊」を表示することにより情報の登録をオペレータに通知する（Ｓ１１）。
その後、ＣＰＵ部４ａは登録終了キーが押下されたか否かを座標情報変換部４ｅからの通知に有無により判断し（Ｓ１２）、登録終了キー押下の通知が来ないことにより、登録終了キーが押下されないと判断した場合は２回目以降の位置の入力を求めるための画面を表示させ、Ｓ８に戻って入力を待つ。
【００６２】
オペレータは希望する回数分の入力を行ってその情報が登録が終了すると、画面中の登録終了キーを入力ペン７により押下する。
ＣＰＵ部４ａは登録終了キーの押下を認識すると、不揮発性メモリ４ｆに暗証コード登録済みフラグを立て（Ｓ１３）、暗証コードの登録処理を終了する。
オペレータが情報端末装置１を使う場合、表示部２、座標入力装置３、制御部４、及びコントロール基板４に電源を供給して動作させると（Ｓ１）、暗証コード登録済みフラグの読み込みを行い、フラグの有無を判断する（Ｓ２）。
【００６３】
そしてフラグが立っていれば（Ｓ１４）、不揮発性メモリ４ｆから定数を読み出して（Ｓ１５）、座標情報変換部４ｅに転送すると共に、その定数を画面分割の値としてそれに準じた大きさの色分けされた格子を背景とした暗証コードの入力を求める画面を前述の手順と同様に表示部２に表示させ（Ｓ１６）、オペレータによる入力を待つ（Ｓ１７）。
【００６４】
オペレータは図１４の画面が表示されると、所定の回数入力ペン７で座標入力部３の任意の位置を押して入力し、入力された位置は座標入力制御部４ｄにより座標値として検出され、座標情報変換部４ｅで定数を変更した計算式により各座標値を順次変換して（Ｓ１８）、それにより求められた情報を暗証コードとしてＣＰＵ部４ａに送る。
【００６５】
ＣＰＵ４ａは情報を受け取る毎に登録表示エリア２Ａに記号「＊」を表示させる（Ｓ１９）。
そしてオペレータが登録終了キーを押下すると（Ｓ２０）、ＣＰＵ部４ａは不揮発性メモリ４ｆに登録されている暗証コードを読み出して入力された暗証コードと比較する（Ｓ２１）。
【００６６】
比較の結果、暗証コードが一致した場合、アプリケーションプログラムをプログラム格納部４ｂから読み出して、そのアプリケーションプログラムを使用できる環境を整える。
ＣＰＵ部４ａは桁数が異なっていたり、入力されたデータの順が異なる等、暗証コードが一致しない場合は、再度暗証コードの入力を求める画面を表示させ（Ｓ２２）、その後Ｓ１７に戻って新たに送られてくる情報を待ち、待機状態に入る。
【００６７】
この場合も暗証コード入力のリトライ回数を予め定めておき、定められた回数だけリトライしても暗証コードが一致しない場合は、処理を終了するようにしておく。
以上説明した第４の実施の形態によれば、座標入力部をより細かくあるいはより大きくした範囲で入力できるよう選択可能としたため、オペレータが暗証コードを入力する際に、他者が大勢いるときは細かい範囲で座標入力するように選択して、他者に位置情報が視認できないようにし、また他者がいないときは大きな範囲の中で座標入力できるようにして、暗証コードの入力操作を簡易化できる利点がある。
【００６８】
次に第５の実施の形態について説明する。
図２０は第５の実施の形態を示すコントロール基板４のブロック図である。
この実施の形態は、上述した第２の実施の形態の構成に加えて、コントロール基板４に検証情報格納部４ｉを設け、この検証情報格納部４ｉに暗証コードに検証方法を選択させるための情報を格納することにより、複数の方法で暗証コードを確認できるようにしたものである。
【００６９】
図２１及び図２３はこの第５の実施の形態における表示部の表示画面例を示す図で、これらの図を参照して第５の実施の形態について説明する。
まず、この第５の実施の形態では、暗証コードの登録を求める画面に図２１に示したように登録表示エリア２ａとキーボードエリア２ｂを設け、キーボードエリア２ｂに文字キーを表示する。
【００７０】
この文字キーは図では平仮名を用いているがアルファベット等を用いることも可能である。
この画面を見てオペレータは前述した各実施の形態における暗証コード登録の場合と同様に入力ペン７で図２２に示す座標入力部３上のＡ点〜Ｄ点を押して順次入力し、更にこの各点の入力を行った後に、任意の文字キーを選択して押下することにより文字入力することで、入力した点と文字を割りつけるようにする。
【００７１】
ここでは、例えばＡ点に対して文字「あ」、Ｂ点に対して文字「い」、Ｃ点に対して文字「う」、Ｄ点に対して文字「え」を割りつけたものとする。
入力された点は座標入力制御部４ｄにより座標値として検出され、座標情報変換部４ｅで各実施の形態と同様に２桁の数字による情報に変換される。また、選択された文字「あいうえ」は座標情報変換部４ｅで変換された情報に割りつけられ、ＣＰＵ部４に送られて不揮発性メモリ４ｆに格納される。
【００７２】
所定回数に位置入力が終った場合、オペレータが図２２に表示されている登録終了キーを入力ペン７で押下すると、ＣＰＵ部４ａは不揮発性メモリ４ｆに暗証コード登録済みフラグを立て、登録の処理を終了させる。
次に、ＣＰＵ部４ａは検証情報格納部４ｉから検証方法を選択させるための情報を読み出し、表示制御部４ｃに対して暗証コードの検証方法を選択させる画面の表示を指示する。
【００７３】
これにより表示部２に図１３に示した「１．順番入力」、「２．交互入力」、「３．座標入力のみ」、「４．文字入力のみ」等の検証方法を列記した画面が表示される。
ここで、１番目の順番入力とは、Ａ点〜Ｄ点等の位置入力を行った後、画面上にキーボードを表示して位置情報に割りつけられて登録されている文字あ〜えを順に入力する方法である。
【００７４】
また、２番目の交互入力とは、暗証コードの入力画面に最初からキーボードも表示し、Ａ点、あ、Ｂ点・・・Ｄ点、え、という手順で位置情報とその位置情報に割りつけられている文字情報を交互に入力する方法である。
更に、３番目の座標入力のみは、その意味の通りＡ点〜Ｄ点等の位置入力のみを行う方法であり、４番目の文字入力のみは、画面にキーボードを表示して文字入力のみを行う方法である。
【００７５】
この画面を見てオペレータが入力ペン７により希望する検証方法を選択して押下すると、押下位置の座標値が座標入力制御部４ｄにより検出され、更にこの座標値から選択された検証方法が座標情報変換部４ｅで認識されて、ＣＰＵ部４ａに通知される。
これによりＣＰＵ部４ａは選択された検証方法を不揮発性メモリ４ｆに格納させる。
【００７６】
オペレータが情報端末装置１を稼働させる場合は、電源を投入するとＣＰＵ部４ａは不揮発性メモリ４ｆに格納されている検証方法を読み出し、その検証方法が図１３に示した１番目の順番入力の場合、暗証コードの入力を求める画面を表示制御部４ａを介して表示部２に表示させる。
そして、ＣＰＵ部４ａはオペレータがＡ点〜Ｄ点を順に入力すると、画面上のキーボードエリア２ｂ（図２１，図２２参照）に文字キーを表示させ、位置情報に割りつけられて登録されている文字あ〜えが順に入力されるのを待つ。
【００７７】
これらがすべて正確に入力され、不揮発性メモリ４ｆに格納されている暗証コードと一致すれば、アプリケーションプログラムをプログラム格納部４ｂから読み出して、そのアプリケーションプログラムを使用できる環境を整えるが、正確に入力されない場合は、暗証コードの再入力を求める画面に切り替わって入力待ちの状態となる。
【００７８】
無論この場合も暗証コード入力のリトライ回数を予め定めておき、定められた回数だけリトライしても暗証コードが一致しない場合は、処理を終了するようにしておく。
また、検証方法として、２番目の交互入力が登録されている場合は、暗証コードの入力画面に最初からキーボードエリア２ｂに文字キーも表示する。
【００７９】
この場合、ＣＰＵ部４ａは位置情報とその位置情報に割りつけられている文字情報が交互に正確に入力された場合、例えば暗証コード登録時にＡ点、Ｂ点、Ｃ点、Ｄ点の入力が順に行われ、文字として、あ、い、う、え、が順に入力されていた場合、Ａ点、あ、Ｂ点・・・・Ｄ点、え、の順に入力されていれば、ＣＰＵ部４ａは暗証コードが一致したものと認識してアプリケーションプログラムを使用できる環境を整えるが、正確に入力されていない場合は、前記と同様に図８に示した暗証コードの再入力を求める画面に切り替わって入力待ちの状態となる。
【００８０】
更に、検証方法として、座標入力のみやキーボード入力のみの場合も、それに応じてＣＰＵ部４ａが暗証コードの確認を行う。
以上各実施の形態について説明したが、本発明はこれらに限られるものではない。
例えば、第１〜第５の実施の形態では、座標入力装置が実装された携帯型の情報入力装置に適用しているが携帯型のみでなく、座標入力装置が実装されている情報端末装置であれば、ノート型パソコン、デスクトップ型パソコン、業務専用システム等総てのものに適用可能である。
【００８１】
また、第４の実施の形態では、座標入力する範囲を一定数の項目から選ぶようにしているが、オペレータがこの範囲の大きさを入力できるようにすることで、より自由度の高い、また他人にもより視認しづらくするようにできる。
また、第３，第４の実施の形態ともオペレータが座標を入力する位置を視認し易く、かつ覚え易いように画面を色分けした格子を表示するようにしたが、オペレータが自分で風景等の特定画像を表示するようにしても同様の効果が得られる。
【００８２】
また、各実施の形態ともオペレータが座標を入力する際、専用ペンで指示するようにしてあるが、指による入力とすることで操作性を高めることもできる。
更に、上述した第５の実施の形態では表示部２に文字キーを表示して文字を入力する手段としているが、インタフェース部４ｇを介して接続可能なキーボードにより文字入力を行うことも可能である。
【００８３】
【発明の効果】
以上説明したように、本発明は、座標入力装置から入力する位置情報を暗証コードとして利用するため、オペレータ以外のものは文字入力の場合のようにオペレータの名前や、誕生日等の日付から暗証コードを類推できなくなり、また、文字入力による暗証コードの場合、オペレータの近傍に他人がいると、入力される文字位置から暗証コードが解読されてしまうことがあるが、座標入力される位置情報を暗証コードとして用いるので、オペレータの近傍にいる他人が見た場合でも、一見しただけでは正確な位置は把握しにくいものとなる。
【００８４】
従って、他人がオペレータの暗証コードを流用して情報端末装置に格納されているアプリケーションプログラムを呼び出してその情報を見たり、細工する等の操作ができなくなり、情報の秘守性を確保することができるという効果が得られる。
また、表示部上に設けた座標入力部により暗証コードを座標入力するため、専用キーボードを持ち歩く必要も無くなり携帯形の情報端末装置が持つ可搬性、軽量性及び操作性を損なうこともなくなるという効果も得られる。
【図面の簡単な説明】
【図１】第１の実施の形態を示すブロック図。
【図２】第１の実施の形態の外観を示す斜視図。
【図３】第１の実施の形態のコントロール基板を示すブロック図。
【図４】第１の実施の形態の表示画面例を示す図。
【図５】第１の実施の形態の表示画面例を示す図。
【図６】第１の実施の形態の表示画面例を示す図。
【図７】第１の実施の形態の表示画面例を示す図。
【図８】第１の実施の形態の表示画面例を示す図。
【図９】第２の実施の形態を示すコントロール基板を示すブロック図。
【図１０】第３の実施の形態の作用を示すフローチャート。
【図１１】第３の実施の形態の表示画面例を示す図。
【図１２】第３の実施の形態の表示画面例を示す図。
【図１３】第３の実施の形態の表示画面例を示す図。
【図１４】第３の実施の形態の表示画面例を示す図。
【図１５】第３の実施の形態の表示画面例を示す図。
【図１６】第３の実施の形態の表示画面例を示す図。
【図１７】第４の実施の形態の作用を示すフローチャート。
【図１８】第４の実施の形態の表示画面例を示す図。
【図１９】第４の実施の形態の表示画面例を示す図。
【図２０】第５の実施の形態を示すコントロール基板のブロック図。
【図２１】第５の実施の形態の表示画面例を示す図。
【図２２】第５の実施の形態の表示画面例を示す図。
【図２３】第５の実施の形態の表示画面例を示す図。
【図２４】従来技術を示す斜視図。
【符号の説明】
１  情報端末装置
２  表示部
２ａ  登録表示エリア
２ｂ  キーボードエリア
３  座標入力部
４  コントロール基板
４ａ  ＣＰＵ部
４ｂ  プログラム格納部
４ｃ  表示制御部
４ｄ  座標入力制御部
４ｅ  座標情報変換部
４ｆ  不揮発性メモリ
４ｈ  定数情報格納部
４ｉ  検証情報格納部
【図１】
0004316774.tif 000002
【図２】
0004316774.tif 000003
【図３】
0004316774.tif 000004
【図４】
0004316774.tif 000005
【図５】
0004316774.tif 000006
【図６】
0004316774.tif 000007
【図７】
0004316774.tif 000008
【図８】
0004316774.tif 000009
【図９】
0004316774.tif 000010
【図１０】
0004316774.tif 000011
【図１１】
0004316774.tif 000012
【図１２】
0004316774.tif 000013
【図１３】
0004316774.tif 000014
【図１４】
0004316774.tif 000015
【図１５】
0004316774.tif 000016
【図１６】
0004316774.tif 000017
【図１７】
0004316774.tif 000018
【図１８】
0004316774.tif 000019
【図１９】
0004316774.tif 000020
【図２０】
0004316774.tif 000021
【図２１】
0004316774.tif 000022
【図２２】
0004316774.tif 000023
【図２３】
0004316774.tif 000024
【図２４】
0004316774.tif 000025